(57)【要約】【課題】足場パネルの仮置き場や揚上作業場所を仮設足場の架設箇所付近に確保することが困難な場合であっても、構築物の保守・維持管理・修理作業などのための仮設足場の架設作業の省力化、工期短縮を図ることが可能な足場システムを提供する。【解決手段】足場パネルＰは、縦行用レール部材３１に架設された縦行用搬送部３３によって搬送され、ターンフレーム３３１とスライドレール３３２によって横行用レール部材３２に架設された横行用搬送部３４へと受け渡される。そして、足場パネルＰを横行用レール部材３２と作業床用レール部材２１との交差位置まで搬送し、作業床２２上で横行用搬送部３４から作業床用レール部材２１に架設された支持部２４へと移動させる。そして、作業床２２とともに支持部２４を作業床用レール部材２１の終点まで移動させ、足場パネルＰを構築物Ｓの下面に吊設するとともに、隣接する足場パネルＰと連結させる。【選択図】図１
2015137506.tif 000002
【特許請求の範囲】
【請求項１】
高架道路や橋梁などの構築物の保守、維持管理、修理作業などを行う保守作業箇所の下方に、足場パネルを移動させて複数の足場パネルからなる仮設足場を設置する足場システムであって、
構築物の下方において仮設足場を設置する作業を行うための作業床と、
作業床と足場パネルとを、構築物の下方の所定の移動開始地点から保守作業箇所の下方まで、構築物の長さ方向に沿って移動させる移動装置と、
足場パネルを移動装置の移動開始地点まで搬送する足場パネル搬送装置と、を備え、
足場パネル搬送装置は、
構築物の橋脚よりも構築物の幅方向外側を、構築物の長さ方向に沿って足場パネルを移動させる足場パネル縦行手段と、
構築物の下方において、構築物の幅方向に沿って足場パネルを移動装置の移動開始地点付近まで移動させる足場パネル横行手段と、
足場パネル縦行手段から足場パネル横行手段へと足場パネルを受け渡す足場パネル受け渡し手段と、を有し、
移動装置の移動開始地点に停止した作業床上において、足場パネル横行手段から移動装置へと足場パネルを移し替える作業が可能であることを特徴とする足場システム。
【請求項２】
足場パネル縦行手段は、足場パネルを水平方向に移動可能に保持するスライド部と、スライド部を吊持するとともにスライド部を水平方向に旋回可能な旋回部材と、を有し、旋回部材とともにスライド部を構築物の長さ方向に移動させることによって足場パネルを移動させ、
足場パネル受け渡し手段は、足場パネルを保持したスライド部を旋回部材によって旋回させるとともに、スライド部によって足場パネルを足場パネル横行手段まで移動させることにより、足場パネル縦行手段から足場パネル横行手段へと足場パネルを受け渡すことを特徴とする請求項１に記載の足場システム。
【請求項３】
足場パネル搬送装置は、足場パネルを吊持可能な足場パネル吊持部を有し、
足場パネル縦行手段は、構築物の長さ方向に沿って設けられた足場パネル縦行用レール部材に沿って足場パネル吊持部を移動させ、
足場パネル横行手段は、構築物の幅方向に沿って設けられた足場パネル横行用レール部材に沿って足場パネル吊持部を移動させ、
足場パネル受け渡し手段は、一端部が足場パネル縦行用レール部材に接続するとともに他端部が足場パネル横行用レール部材に接続した、足場パネル吊持部が移動可能な円弧軌道のレール部材であることを特徴とする請求項１に記載の足場システム。
【請求項４】
移動装置は、構築物の橋脚間に構築物の長さ方向に沿って移動開始地点から保守作業箇所の下方まで設けられたレール部材であって、作業床および足場パネルが移動可能な移動用レール部材を有し、
足場パネル横行手段は、構築物の幅方向に沿って延びて移動用レール部材の移動開始地点側と上下に交差するレール部材であって、足場パネルが移動可能な足場パネル横行用レール部材を有し、
移動用レール部材の足場パネル横行用レール部材との交差部分、または足場パネル横行用レール部材の移動用レール部材との交差部分は、着脱可能なレール部材で構成され、下方の交差部分のレール部材を取り外すことにより、上方のレール部材を足場パネルが移動可能となることを特徴とする請求項１から３のいずれかに記載の足場システム。
【請求項５】
着脱可能なレール部材は、一端側に設けられたヒンジ機構により回動することによって前後のレール部材から着脱することを特徴とする請求項４に記載の足場システム。
【請求項６】
移動装置は、複数のパンタグラフからなる昇降装置によって足場パネルを昇降可能に支持することを特徴とする請求項１から５のいずれかに記載の足場システム。
【発明の詳細な説明】
【技術分野】
【０００１】
本発明は、足場システムに関し、詳しくは、高架道路や橋梁などの高層構築物に対して、主として保守・維持管理・修理作業などを行う際に用いる仮設の足場装置を、構築物の下方であって構築物の橋脚と橋脚との間に吊設する足場システムに関する。
【背景技術】
【０００２】
高架道路や橋梁などの高層構築物に対して、主として保守・維持管理・修理作業などを行う際に用いる仮設足場を架設するためには、架設箇所の真下から足場パネルを一枚ずつ順次揚上して構築物の下方に吊り下げて、先に吊り下げた足場パネルと連結させるというのが従来の手順であった。しかし、この場合、足場パネルの揚上作業と吊り下げ作業を繰り返して行わなければならず、仮設足場の架設および撤去作業は大変手間がかかるものとなっていた。また、足場パネルを架設する箇所の真下の地上または水上において作業を行うため、その作業場所の確保が必要であった。
【０００３】
そこで、近年、高層構築物の保守・維持管理・修理作業などを行う箇所の下方に吊設する足場システムが提案されている。例えば、特許文献１には、高層構築物の保守・維持管理・修理作業などを行う箇所の下方に構築物の長さ方向に沿って連続するレール部材と、レール部材に沿って駆動部により移動可能に架設された作業床と、作業床を介して押動されることによりレール部材に沿って移動可能なウインチ装置とを有する足場システムが開示されている。
【０００４】
この足場システムによれば、足場パネルをレール部材の始端位置にある作業床の前側にウインチ装置によって揚上し、該足場パネルを作業床によって押動し搬送する。作業床に押動された足場パネルが搬送終点位置に至ると、構築物の下方に吊持されるとともに、隣接する足場パネル同士が連結される。そして、作業床とウインチ装置とは始端位置に引き返し、同様の動作を繰り返し行うことによって、足場パネルを高層構築物の保守・維持管理・修理作業などを行う箇所の下方全面に吊設する。これにより、仮設足場の仮設箇所の真下に作業場所を確保しなくとも、高層構築物の下方に仮設足場を架設することができる。また、仮設足場の架設および撤去作業の省人化や工期短縮を図ることができる。
【先行技術文献】
【特許文献】
【０００５】
【特許文献１】特開２００５−２９９２８０号公報
【発明の概要】
【発明が解決しようとする課題】
【０００６】
ところで、高架道路や橋梁などの高層構築物の真下には、他の道路や河川が存在する場合が多い。このような場合、特許文献１に記載された足場システムでは、レール部材の始点位置近辺の地上において、足場パネルなどの仮設材等を仮置きしたり足場パネルの揚上作業を行ったりする場所を確保することが困難となってしまう。そのため、足場パネル等を仮置き可能な位置から、レール部材に足場パネルを揚上する作業が可能な場所まで、人手によって足場パネル等を搬送しなければならず、人手や時間がかってしまうという問題があった。
【０００７】
これに対し、レール部材を延長し、レール部材に沿って作業床と足場パネルとが長距離を移動可能とすることにより、足場パネルの搬送を可能にすることが考えられる。すなわち、レール部材を構築物の下方に長距離にわたって架設することにより、足場パネル等の仮置き場から仮設足場の吊設箇所まで足場パネルを搬送することができる。しかしながら、高架道路や橋梁などの高層構築物の下部には橋脚が設けられており、レール部材は、橋脚と橋脚との間に架設することはできても、橋脚を跨いで架設することはできない。そのため、橋脚と橋脚との間隔が短い箇所に仮設足場を架設する場合は、延長したレール部材を用いて足場パネルを搬送することができない。
【０００８】
そこで、本発明は、足場パネルの仮置き場や揚上作業場所を仮設足場の架設箇所付近に確保することが困難な場合であっても、高層構築物の保守・維持管理・修理作業などのための仮設足場の架設作業の省人化、工期短縮を図ることが可能な足場システムを提供することを目的とする。
【課題を解決するための手段】
【０００９】
本発明に係る足場システムは、高架道路や橋梁などの構築物の保守、維持管理、修理作業などを行う保守作業箇所の下方に、足場パネルを移動させて複数の足場パネルからなる仮設足場を設置する足場システムであって、構築物の下方において仮設足場を設置する作業を行うための作業床と、作業床と足場パネルとを、構築物の下方の所定の移動開始地点から保守作業箇所の下方まで、構築物の長さ方向に沿って移動させる移動装置と、足場パネルを移動装置の移動開始地点まで搬送する足場パネル搬送装置と、を備え、足場パネル搬送装置は、構築物の橋脚よりも構築物の幅方向外側を、構築物の長さ方向に沿って足場パネルを移動させる足場パネル縦行手段と、構築物の下方において、構築物の幅方向に沿って足場パネルを移動装置の移動開始地点付近まで移動させる足場パネル横行手段と、足場パネル縦行手段から足場パネル横行手段へと足場パネルを受け渡す足場パネル受け渡し手段と、を有し、移動装置の移動開始地点に停止した作業床上において、足場パネル横行手段から移動装置へと足場パネルを移し替える作業が可能であることを特徴とする。
【００１０】
これにより、移動装置が、作業床と足場パネルを構築物の下方を移動開始地点から保守作業箇所の下方まで移動させて、仮設足場を設置する。そのため、構築物の下方において、足場パネルの移動作業および仮設足場の設置作業の安全化、省人化、工期短縮化を図ることができる。
【００１１】
また、足場パネル搬送装置が、足場パネルを、構築物の橋脚よりも幅方向外側を構築物の長さ方向に移動させ、さらに、受け渡し手段を経由して、構築物の下方を構築物の幅方向に移動させる。そして、移動開始地点の作業床上にて足場パネルを移動装置へと移し替える。そのため、橋脚の有無に関わらず足場パネルを構築物の長さ方向に長距離にわたって搬送して移動装置へと移し替えることができる。
【発明の効果】
【００１２】
本発明によれば、構築物の下方において、足場パネルの移動および設置作業を容易に行うことが可能となり、また、橋脚の有無に関わらず足場パネルを移動装置まで搬送することができる。そのため、仮設足場の設置箇所が橋脚と橋脚との間であり、足場パネルの仮置き場や揚上作業場所を、該設置箇所付近に確保することが困難な場合であっても、高層構築物の保守・維持管理・修理作業などのための仮設足場の架設作業の安全化、省人化、工期短縮を図ることが可能となる。
【図面の簡単な説明】
【００１３】
【図１】足場システムを示す斜視図である。
【図２】足場システムを概略的に示す側面図である。
【図３】足場パネルを示す斜視図である。
【図４】作業床周辺の斜視図である。
【図５】作業床用レール部材と横行用レール部材との交差部分の斜視図である。
【図６】着脱式レール部材の斜視図である。
【図７】足場システムの一部を拡大した斜視図である。
【図８】変形例における足場システムの一部を拡大した斜視図である。
【発明を実施するための形態】
【００１４】
図１乃至図７は、本発明の一実施形態を示すものである。
本発明の足場システム１は、図１に示すように、仮設足場吊設部１０と、作業床移動装置２０（移動装置）と、足場パネル搬送装置３０と、を備えている。
【００１５】
仮設足場吊設部１０は、図１および図２に示すように、複数の足場パネルＰからなる仮設足場Ｆを構築物Ｓの下方に吊設する手段であり、吊設部材１１と連結部材１２とを有している。
【００１６】
図３に示すように、足場パネルＰは、矩形状に形成された板状部材であり、既存の高架道路や橋梁などの高層構築物に対して、主として保守・維持管理・修理作業などを行う際に用いる仮設足場Ｆとして、高層構築物の保守・維持管理・修理作業などを行う箇所の下方に吊設されて使用される。足場パネルＰは、基本モジュール（幅１ｍ×長さ８ｍ×厚さ０．１ｍ）の一体型成形品で、自重は２３０ｋｇで、大型軽量のものである。足場パネルＰは、外周に配設された外枠Ｐ１と、外枠内の長さ方向および幅方向にそれぞれ所定間隔で配設された中骨Ｐ２と、外枠Ｐ１と中骨Ｐ２との表面に張設されたアルミチェッカープレートからなる表面板Ｐ３とにより構成されている。また、足場パネルＰは、外枠Ｐ１と外枠Ｐ１の幅方向に延びる中骨Ｐ２が交差する各位置に、上下移動して使用位置と収納位置とに突没可能の環状の吊り金具Ｐ４を設けている。
【００１７】
吊設部材１１は、構築物Ｓの下面に係止されたクランプ１１ａから吊り下げられた縦長の板状部材であり、下端部を足場パネルＰの吊り金具Ｐ４に連結して足場パネルＰを構築物Ｓの下面に吊設する。なお、吊設部材１１は、ワイヤ部材やチェーン部材等であってもよい。
【００１８】
連結部材１２は、足場パネルＰの外枠Ｐ１の長辺部に設けられ、足場パネルＰを隣接する足場パネルＰに対し連結、連結解除可能とする。具体的には、連結部材１２は、足場パネルＰの外枠Ｐ１の長辺部の全長に沿って取り付けられ、所定間隔に固定用ナットが設けられた下側連結板１２ａと、この下側連結板１２ａの上側に重ねられるように外枠Ｐ１の長辺部に所定間隔をおいて取り付けられ、固定ボルト挿通用の長穴を有する上側連結板１２ｂと、下側連結板１２ａの上側に上側連結板１２ｂを重ねた状態で上側連結板１２ｂから下側連結板１２ａに挿通して螺着する固定ネジ（図示せず）とからなる。連結部材１２は、下側連結板１２ａと上側連結板１２ｂと固定ネジとによって、隣設する足場パネルＰ同士を連結させて仮設足場Ｆとすることができる。これにより、足場パネルＰ同士が水平方向に固定されて安定する。また、足場パネルＰ同士が隙間無く連結するので連結部分から工事用品が落下することがない。
【００１９】
図１、図２および図４に示すように、作業床移動装置２０は、構築物Ｓの保守・維持管理・修理作業などを行う箇所の下方の橋脚Ｃと橋脚Ｃとの間に架設され、構築物Ｓの長さ方向に延びる左右一対の作業床用レール部材２１と、作業床用レール部材２１に沿って移動可能に作業床用レール部材２１に架設される作業床２２と、作業床２２を作業床用レール部材２１に沿って移動させる例えば電動モータ等の駆動部２３と、作業床用レール部材２１に沿って移動可能に作業床用レール部材２１に架設され、足場パネルＰを支持可能な支持部２４と、を有している。
【００２０】
作業床用レール部材２１は、構築物Ｓの梁部材の下面から吊り下げられたワイヤ等を介して構築物Ｓの下方に架設された、構築物Ｓの梁部材の下面に沿って水平に延びるラック部材である。作業床用レール部材２１は、橋脚Ｃと橋脚Ｃとの間に構築物Ｓの長さ方向に沿って架設されるため、通常は、作業床用レール部材２１の始点（移動開始地点）が橋脚Ｃの前面付近に位置するように設けられる。作業床用レール部材２１の始点と終点の端部には、作業床２２および支持部２４の逸走を防止するためのストッパが取り付けられる。なお、足場システム１の前後方向を説明する場合、作業用床レール部材２１の中間部から作業用床レール部材２１の始点側方向を後方とし、作業用床レール部材２１の終点側方向を前方とする。
【００２１】
また、作業床用レール部材２１は固定式レール部材であるが、一対の作業床用レール部材２１のそれぞれ始点側の一部において、着脱式レール部材２１ａが採用されている。図５に示すように、着脱式レール部材２１ａは、一端部がヒンジ２１ｂを介して固定式レール部材に接続しており、他端部が着脱可能に固定式レールに接続している。図６に示すように、着脱式レール部材２１ａの一端側と接する固定式レール部材の端部には、ボルト２１ｃが回動自在に取り付けられている。着脱式レール部材２１ａが固定式レール部材に取り付けられている状態では、ボルト２１ｃが着脱式レール部材２１ａの一端側に係止されている。着脱式レール部材２１ａを固定式レール部材から取り外すときは、ボルト２１ｃを回動させて着脱式レール部材２１ａからボルト２１ｃを離間させ、ヒンジ２１ｂを軸に着脱式レール部材２１ａを回動させる。着脱式レール部材２１ａは略１８０°回動させることが可能になっている。このように、着脱式レール部材２１ａの一端部は固定式レール部材に接続したままであり、また、ボルト２１ｃも固定式レール部材に取り付けられているので、作業床用レール部材２１から着脱式レール部材２１ａやボルト２１ｃが落下することがない。
【００２２】
作業床２２は、一対の作業床用レール部材２１の間隔よりも幅広の移動足場である。図４に示すように、一対の作業床用レール部材２１には、作業用床レール部材２１に沿って延びる連結具２１ｄを介してそれぞれ２個ずつ互いに連結したピニオン部２２ａが、作業床用レール部材２１に沿って移動可能に架設されている。ピニオン部２２ａには揚重装置２２ｂが設けられており、揚重装置２２ｂの下方にはピニオン部２２１が揚重装置２２ｂに対して昇降自在に吊下されている。また、作業床２２の前部と後部とには、それぞれ作業床２２の幅方向に延びるラック部材２２２が設けられており、ラック部材２２２はピニオン部２２１と係合して吊り下げられている。すなわち、作業床用レール部材２１の下方に架設された作業床２２は、ラック部材２２２とピニオン部２２１とによって作業床用レール部材２１の幅方向に移動自在であり、揚重装置２２ｂによって昇降自在であり、さらに、ピニオン部２２ａによって作業床用レール部材２１に沿って移動自在となっている。また、駆動部２３は、４カ所のピニオン部２２ａのうち作業床用レール部材２１の始点側の２カ所のピニオン部２２ａに連結して作業床用レール部材２１に設けられ、ピニオン部２２ａを押動または引動する。これにより、作業床２２は作業床用レール部材２１の下方を作業床用レール部材２１の長さ方向に沿って駆動部２３によって自動移動可能となっている。なお、本実施形態では、揚重装置２２ｂはチェーンブロックを用いているが、ウインチ装置等を用いてもよい。
【００２３】
支持部２４は、図４に示すように、一対の作業床用レール部材２１にそれぞれ架設されており、昇降装置２４ａと、作業床用レール部材２１に沿って移動可能に架設されて昇降装置２４ａを作業床用レール部材２１に吊下するピニオン部２４ｂと、昇降装置２４ａの下方に足場パネルＰを吊下するパネル吊下部２４ｃとを有している。昇降装置２４ａは、菱形に収縮するパンタグラフジャッキであり、パンタグラフが作業床用レール部材２１の長さ方向に２個並列して設けられている。これにより、作業床用レール部材２１から至近の位置にて足場パネルＰを小刻みに昇降させることができる。また、ピニオン部２４ｂは、作業床２２を支持するピニオン部２２ａと連結可能となっており、駆動部２３によってピニオン部２２ａとともに作業床用レール部材２１に沿って移動可能となっている。
【００２４】
図１および図７に示すように、足場パネル搬送装置３０は、構築物Ｓの長さ方向に沿って架設された縦行用レール部材３１と、構築物Ｓの幅方向に沿って架設された横行用レール部材３２と、縦行用レール部材３１に架設され足場パネルＰを搬送する縦行用搬送部３３と、横行用レール部材３２に架設され足場パネルＰを搬送する横行用搬送部３４と、を有している。なお、図１および図７においては、説明の便宜のために２個の縦行用搬送部３３が表示されているが、実際は１個の縦行用搬送部３３を往復移動させて使用するものである。
【００２５】
縦行用レール部材３１は、所定間隔ごとに構築物Ｓの下方に吊持されるラック部材であり、構築物Ｓの橋脚Ｃよりも構築物Ｓの幅方向外側に設けられている。そのため、縦行用レール部材３１は、橋脚Ｃがある箇所であっても構築物Ｓの下方に架設可能となっている。したがって、足場パネルＰの仮置き場が構築物Ｓの保守・維持管理・修理作業などを行う箇所から離れた位置であっても、足場パネルＰを仮置き場から構築物Ｓの保守・維持管理・修理作業などを行う箇所付近まで長距離にわたって架設することができる。
【００２６】
横行用レール部材３２は、構築物Ｓの下方であって橋脚Ｃの前面付近に構築物Ｓの幅方向に沿って延び、作業床用レール部材２１の始点側と上下に交差している（図４等参照）。本実施形態では、横行用レール部材３２は、作業床用レール部材２１よりも上方に設けられ、下方に設けられた作業床用レール部材２１と略直角に交差している。横行用レール部材３２は、トラスレールからなり、所定間隔ごとに構築物Ｓの下方に吊持されるラック部材である。
【００２７】
縦行用搬送部３３は、図７に示すように、縦行用レール部材３１に対して水平方向に旋回可能なターンフレーム３３１と、ターンフレーム３３１の下方に水平方向に移動可能に吊持された一対のスライドレール３３２と、を有している。
【００２８】
ターンフレーム３３１は、ピニオン部３３３を介して縦行用レール部材３１に架設される上部フレーム３３１ａと、上部フレーム３３１ａの下面に水平方向に旋回自在に設けられたキャスター式の旋回サークル３３１ｂと、旋回サークル３３１ｂの下面に旋回サークル３３１ｂによって上部フレーム３３１ａに対して水平方向に旋回自在に設けられた矩形状の下部フレーム３３１ｃと、を有している。ピニオン部３３３の後方の縦行用レール部材３１には、例えば電動モータ等の搬送部駆動装置３３４が設けられ、ピニオン部３３３を押動または引動することにより、縦行用搬送部３３を縦行用レール部材３１に沿って移動可能としている。
【００２９】
スライドレール３３２は、下部フレーム３３１ｃの４カ所の角部の下方にそれぞれ同じ高さで吊設された４個のスライドレール用ピニオン部３３２ｂと、スライドレール用ピニオン部３３２ｂに支持されたラック部材である一対のスライドレール部３３２ｃと、スライドレール部３３２ｃの下面に足場パネルＰの吊り金具Ｐ４を固定する固定部材３３２ｄと、を有している。一対のスライドレール部３３２ｃは、それぞれ縦行用レール部材３１に沿って前後に並んだ２個のスライドレール用ピニオン部３３２ｂに支持されており、長手方向に水平に移動可能となっている。また、足場パネルＰをスライドレール部３３２ｃの下面に固定する場合は、足場パネルＰの長手方向をスライドレール部３３２ｃの長手方向の向きに合わせる。したがって、一対のスライドレール部３３２ｃの下面に固定された足場パネルＰは、ターンフレーム３３１の下方において、足場パネルＰの長手方向にスライド移動可能となる。本実施形態では、ターンフレーム３３１とスライドレール３３２とが、足場パネルＰをから縦行用搬送部３３へと横行用搬送部３４へと受け渡す連結手段に相当する。
【００３０】
横行用搬送部３４は、ピニオン部３４１を介して横行用レール部材３２に架設される揚重装置３４２と、揚重装置３４２に昇降可能に吊持され、足場パネルＰを支持可能な吊り金具３４３と、を有している。揚重装置３４２は、ピニオン部３４１によって横行用レール部材３２に沿って移動可能である。そのため、吊り金具３４３に支持された足場パネルＰは、横行用レール部材３２に沿って移動可能であるとともに、揚重装置３４２によって昇降可能となっている。なお、本実施形態では、揚重装置３４２はチェーンブロックを用いているが、ウインチ装置等を用いてもよい。
【００３１】
次に、足場パネルＰを仮置き場から搬送して、構築物Ｓの保守・維持管理・修理作業などを行う箇所の下方に仮設足場Ｆを吊設する方法について説明する。
【００３２】
縦行用レール部材３１の始点位置は、足場パネルＰの仮置き場付近とすることが望ましい。まず、縦行用レール部材３１の始点位置にて足場パネルＰを仮置き場から揚上して、縦行用搬送部３３のスライドレール３３２の下面に足場パネルＰを固定部材３３２ｄを用いて固定する。そして、ターンフレーム３３１を旋回させて、足場パネルＰの長さ方向が構築物Ｓの長さ方向と平行になるようにし、搬送部駆動装置３３４によって縦行用搬送部３３を縦行用レール部材３１に沿って移動させる（図１および図２参照）。
【００３３】
縦行用搬送部３３が、作業床用レール部材２１の始点に停止している作業床２２の幅方向端部付近に到達すると、縦行用搬送部３３を停止させる。そして、作業員は、作業床２２上にて縦行用搬送部３３に固定された足場パネルＰを持ち、スライドレール部３３２ｃの長さ方向が縦行用レール部材３１に対して直角の角度になるように、スライドレール３３２を水平方向に旋回させる。これにより、スライドレール３３２がターンフレーム３３１によって旋回し、スライドレール部３３２ｃの長さ方向が、作業床２２の幅方向および横行用レール部材３２の長さ方向と平行になる（図７参照）。
【００３４】
次に、作業床２２上の作業員は、足場パネルＰを持って、スライドレール部３３２ｃを作業床２２の幅方向中央側に向かって移動させる。スライドレール部３３２ｃを作業床２２側に十分に引き込んだところで、足場パネルＰを縦行用搬送部３３から横行用搬送部３４へと移す。すなわち、作業員は、固定部材３３２ｄを吊り金具Ｐ４から外して、足場パネルＰをスライドレール部３３２ｃから取り外す。そして、縦行用搬送部３３のスライドレール部３３２ｃから取り外した足場パネルＰの吊り金具Ｐ４と、横行用レール部材３２に架設されている横行用搬送部３４の吊り金具３４３とを連結させる。そして、横行用搬送部３４の揚重装置３４２によって足場パネルＰを揚上し、横行用搬送部３４を、横行用レール部材３２に沿って作業床２２の幅方向中央側に移動させる（図４および図７参照）。
【００３５】
横行用搬送部３４によって、横行用レール部材３２と作業床用レール部材２１との交差位置まで足場パネルＰが搬送されたところで、作業床用レール部材２１の着脱式レール部材２１ａを回動させる。すなわち、作業員は、着脱式レール部材２１ａに係止されているボルト２１ｃを回動させて取り外し、ヒンジ２１ｂを軸に着脱式レール部材２１ａを１８０°回動させる。これにより、横行用レール部材３２と作業床用レール部材２１との交差位置を、横行用搬送部３４に支持された足場パネルＰが通過可能となる（図５参照）。
【００３６】
横行用搬送部３４によって足場パネルＰが作業床２２の幅方向略中央部に到達すると、足場パネルＰの吊り金具Ｐ４にパネル吊下部２４ｃを連結させ、作業床用レール部材２１に架設された支持部２４に足場パネルＰを支持させる。そして、支持部２４の昇降装置２４ａによって足場パネルＰを上昇させ、足場パネルＰが横行用搬送部３４の吊り金具３４３が浮き上がったところで、横行用搬送部３４の吊り金具３４３から足場パネルＰの吊り金具Ｐ４を取り外す。これにより、足場パネルＰは、横行用搬送部３４から支持部２４へと移動する。この足場パネルＰを横行用搬送部３４から支持部２４へと移動させる作業は、作業床２２上にて行うことができる（図４参照）。
【００３７】
次に、作業床２２と支持部２４とを作業床用レール部材２１に沿って終点側に向かって移動させる。支持部２４のピニオン部２４ｂは、作業床２２を支持するピニオン部２２ａと連結しているため、ピニオン部２２ａが移動すると、ピニオン部２４ｂがピニオン部２２ａに押動される。したがって、駆動部２３によって作業床２２と支持部２４とは同時に作業床用レール部材２１に沿って移動する。そして、足場パネルＰを支持した支持部２４が作業床用レール部材２１の終点に到達すると、吊設部材１１を足場パネルＰの吊り金具Ｐ４に連結させる。次に、支持部２４の昇降装置２４ａを用いて足場パネルＰの高さを既に構築物Ｓの下方に吊設されている足場パネルＰの高さと合わせ、連結部材１２によって両足場パネルＰの長辺同士を連結させる。そして、支持部２４の昇降装置２４ａによって足場パネルＰを下降させ、足場パネルＰの荷重が吊設部材１１に係ったことを確認すると、足場パネルＰの吊り金具Ｐ４と支持部２４のパネル吊下部２４ｃとの連結を解除する。そして、足場パネルＰを吊設部材１１によって吊設した部分の作業床用レール部材２１を取り外し、作業床２２を作業床用レール部材２１の始点まで戻す（図１および図２参照）。
【００３８】
このような作業を図７に示すように繰り返し行うことによって、足場パネルＰを構築物Ｓの保守・維持管理・修理作業などを行う箇所の下方に複数吊設し、仮設足場Ｆを設置する。なお、仮設足場の設置作業において、足場パネルＰを作業床用レール部材２１に沿って移動させて構築物Ｓの下方に吊設する作業を行っている間に、次の足場パネルＰを縦行用搬送部３３と横行用搬送部３４とによって作業床用レール部材２１の始点付近まで搬送することにより、作業時間の短縮を図ることができる。
【００３９】
なお、本実施形態では、縦行用搬送部３３が作業床用レール部材２１の始点付近に到達すると、スライドレール部３３２ｃを移動させて、足場パネルＰを縦行用搬送部３３から横行用搬送部３４へと受け渡す。そして、横行用搬送部３４によって足場パネルＰが作業床２２の幅方向略中央部に到達すると、足場パネルＰを、横行用搬送部３４から支持部２４へと移し替える。しかし、これに限らず、例えば、横行用レール部材３２や横行用搬送部３４を用いずに、足場パネルＰを仮置き場から支持部２４まで搬送するようにしてもよい。この場合、縦行用搬送部３３が作業床用レール部材２１の始点付近に到達すると、作業床２２上の作業員は、スライドレール部３３２ｃを支持部２２の近くまで引き込んで、足場パネルＰを縦行用搬送部３３から支持部２４へと移し替える。これにより、足場パネルＰを仮置き場から支持部２４まで搬送する過程における作業を簡略化することができる。
【００４０】
次に、図８を用いて、足場パネル搬送装置の変形例として、足場パネル搬送装置４０について説明する。なお、上記実施例と重複または同一の部分の説明については省略する。
【００４１】
図８に示すように、足場パネル搬送装置４０は、構築物Ｓの長さ方向に沿って架設された縦行用レール部材４１と、構築物Ｓの幅方向に沿って架設された横行用レール部材４２と、縦行用レール部材４１と横行用レール部材４２とを連結するカーブ用レール部材４３と、縦行用レール部材４１とカーブ用レール部材４３との分岐ポイントである分岐手段４４と、縦行用レール部材４１、横行用レール部材４２、およびカーブ用レール部材４３に架設可能であり足場パネルＰを搬送する搬送部４５と、を有している。
【００４２】
縦行用レール部材４１は、所定間隔ごとに構築物Ｓの下方に吊持される略直線状のラック部材であり、構築物Ｓの橋脚Ｃよりも構築物Ｓの幅方向外側に、構築物Ｓの長さ方向に沿って長距離にわたって架設可能となっている。横行用レール部材３２は、所定間隔ごとに構築物Ｓの下方に吊持されるラック部材であり、橋脚Ｃの前面付近に構築物Ｓの幅方向に沿って延びて設けられ、下方に設けられた作業床用レール部材２１の始点側と略直角に交差している。
【００４３】
カーブ用レール部材４３は、縦行用レール部材４１の作業床用レール部材２１の始点近くの部分と、横行用レール部材４２の一端部とを連結するラックレール部材であり、橋脚Ｃの角部を迂回するような円弧軌道をなしている。変形例においては、カーブ用レール部材４３が連結手段に相当する。
【００４４】
分岐手段４４は、縦行用レール部材４１の一部を構成する縦行用分岐レール部材４４１と、カーブ用レール部材４３の一部を構成するカーブ用分岐レール部材４４２と、分岐手段４４の上方の構築物Ｓの下面に吊設され、構築物Ｓの幅方向に延びる分岐用ラック部材４４３と、分岐用ラック部材４４３に分岐用ラック部材４４３に沿って移動可能に架設された分岐用ピニオン部４４４と、を有している。
【００４５】
縦行用分岐レール部材４４１は、縦行用レール部材４１の一部を構成するラック部材であり、縦行用レール部材４１は、カーブ用レール部材４３付近の一部の区間が縦行用分岐レール部材４４１となっている。縦行用分岐レール部材４４１の終点側の端部は、縦行用レール部材４１の端部にヒンジ４４１ａを介して水平方向に回動自在に支持されている。縦行用分岐レール部材４４１は回動することにより、縦行用レール部材４１と連結した状態（連結状態）と、縦行用レール部材と連結していない状態（非連結状態）とに変化可能となっている。縦行用分岐レール部材４４１が連結状態であるときは、縦行用レール部材４１のヒンジが設けられた端部に回動自在に取り付けられたボルトが、縦行用分岐レール部材４４１の終点側の端部に係止されている。また、縦行用分岐レール部材４４１を非連結状態に変化させるときは、ボルトを回動させて縦行用分岐レール部材４４１から離間させ、縦行用分岐レール部材４４１を回動させる。
【００４６】
カーブ用分岐レール部材４４２は、カーブ用レール部材４３の一部を構成するラック部材であり、カーブ用レール部材４３は、縦行用レール部材４１と連結する部分の区間がカーブ用分岐レール部材４４２となっている。カーブ用分岐レール部材４４２の横行用レール部材４２側の端部は、カーブ用レール部材４３の端部にヒンジ４４２ａを介して水平方向に回動自在に支持されている。カーブ用分岐レール部材４４２は回動することにより、カーブ用レール部材４３と連結した状態（連結状態）と、カーブ用レール部材４３と連結していない状態（非連結状態）とに変化可能となっている。カーブ用分岐レール部材４４２が連結状態であるときは、カーブ用レール部材４３のヒンジが設けられた端部に回動自在に取り付けられたボルトが、カーブ用分岐レール部材４４２の横行用レール部材４２側の端部に係止されている。また、カーブ用分岐レール部材４４２を非連結状態に変化させるときは、ボルトを回動させてカーブ用分岐レール部材４４２から離間させてカーブ用分岐レール部材４４２を回動させる。
【００４７】
分岐手段４４の上方に設けられた分岐用ラック部材４４３に架設された分岐用ピニオン部４４４には、２本のワイヤが吊下されており、２本のワイヤはそれぞれ縦行用分岐レール部材４４１とカーブ用分岐レール部材４４２とを支持している。縦行用分岐レール部材４４１が連結状態であるときは、分岐用ピニオン部４４４は分岐用ラック部材４４３に沿って第１の位置に移動し、カーブ用分岐レール部材４４２が連結状態であるときは、分岐用ピニオン部４４４は第２の位置に移動する。すなわち、縦行用分岐レール部材４４１とカーブ用分岐レール部材４４２とは、それぞれ分岐用ピニオン部４４４に吊持されているため、互いに連動して回動することになる。したがって、分岐用ピニオン部４４４が第１の位置にあるときは、縦行用分岐レール部材４４１は連結状態でありカーブ用分岐レール部材４４２は非連結状態である。また、分岐用ピニオン部４４４が第２に位置にあるときは、縦行用分岐レール部材４４１は非連結状態でありカーブ用分岐レール部材４４２は連結状態である。
【００４８】
搬送部４５は、縦行用レール部材４１、横行用レール部材４２、およびカーブ用レール部材４３に架設可能であり縦列に４個並んだピニオン部４５１と、４個のピニオン部４５１のうち最前列と最後列のピニオン部４５１にそれぞれ設けられた揚重装置４５２と、揚重装置４５２にワイヤを介して昇降可能に吊持され、足場パネルＰを支持可能な吊り金具４５３と、を有している。４個のピニオン部４５１はそれぞれ前後のピニオン部４５１と連結部材によって連結されている。最後列のピニオン部４５１の後方には、例えば電動モータ等の搬送部駆動装置４５４が設けられており、搬送部駆動装置４５４が最後列のピニオン部４５１を押動または引動することにより、４個のピニオン部４５１が同時に移動可能となっている。これにより、吊り金具４５３に支持された足場パネルＰは、搬送部駆動装置４５４によって、縦行用レール部材４１、横行用レール部材４２、およびカーブ用レール部材４３に沿って移動可能であるとともに、揚重装置４５２によって昇降可能となっている。
【００４９】
このような構成の足場パネル搬送装置４０において、足場パネルＰを横行用レール部材４２まで搬送する場合、まず、分岐手段４４のカーブ用分岐レール部材４４２を連結状態とする。これに伴って分岐用ピニオン部４４４は第２の位置に移動し、縦行用分岐レール部材４４１は非連結状態となる。次に、仮置き場から揚上した足場パネルＰを、縦行用レール部材４１に架設された搬送部４５の吊り金具４５３に支持させる。次に、足場パネルＰを支持した搬送部４５を、搬送部駆動装置４５４によって縦行用レール部材４１に沿って移動させる。搬送部４５が分岐手段４４に到達すると、連結状態となっているのはカーブ用分岐レール部材４４２であるので、搬送部４５は、そのままカーブ用分岐レール部材４４２に沿って移動する。そして、搬送部４５は、カーブ用レール部材４３を経て横行用レール部材４２へと移動し、横行用レール部材４２へ到達した搬送部４５から足場パネルＰを取り外して、作業床用レール部材２１に架設された支持部２４に足場パネルＰを支持させる。
【００５０】
一方、足場パネルＰを構築物Ｓのさらに遠方の保守・維持管理・修理作業などを行う箇所まで搬送する場合、まず、分岐手段４４の縦行用分岐レール部材４４１を連結状態とし、カーブ用分岐レール部材４４２を非連結状態とする。そして、足場パネルＰを支持した搬送部４５を、搬送部駆動装置４５４によって縦行用レール部材４１に沿って移動させる。搬送部４５が分岐手段４４に到達すると、連結状態となっているのは縦行用分岐レール部材４４１であるので、搬送部４５は、そのまま縦行用分岐レール部材４４１を経由して、縦行用分岐レール部材４４１に沿って移動を継続する。
【００５１】
このように、上記の本実施形態の足場システム１によれば、足場パネルＰは、足場パネル搬送装置３０の縦行用搬送部３３によって縦行用レール部材３１に沿って移動し、ターンフレーム３３１およびスライドレール３３２からなる連結手段によって縦行用搬送部３３から横行用搬送部３４へと受け渡される。そして、横行用搬送部３４に受け渡された足場パネルＰを、作業床移動装置の作業床２２上にて横行用搬送部３４から支持部２４へと移動させると、駆動部２３によって作業床２２と支持部２４とを同時に作業床用レール部材２１に沿って移動させる。そして、支持部２４が作業床用レール部材２１の終点に到達すると、仮設足場吊設部１０の吊設部材１１によって足場パネルＰを構築物Ｓの下面に吊設するとともに、隣接する足場パネルＰと連結部材１２によって連結して仮設足場Ｆを架設する。
【００５２】
これにより、構築物Ｓの下方において、仮設足場Ｆを架設する箇所まで作業床用レール部材２１に沿って足場パネルＰを容易に搬送することできる。また、足場パネルＰの仮置き場と仮設足場を架設する箇所との間に橋脚Ｃが存在したとしても、縦行用レール部材３１に沿って足場パネルＰを容易に長距離搬送することができる。したがって、足場パネルＰの仮置き場や揚上作業場所を、仮設足場Ｆの架設箇所付近に確保することが困難な場合であっても、構築物Ｓの保守・維持管理・修理作業などのための仮設足場Ｆの架設作業の安全化、省人化、工期短縮を図ることが可能となる。
【００５３】
また、上記本実施形態によれば、縦行用搬送部３３によって足場パネルＰの長さ方向を進行方向にして縦行用レール部材３１に沿って搬送し、足場パネルＰが横行用レール部材３２付近に到達すると、ターンフレーム３３１を用いて足場パネルＰの長さ方向が横行用レール部材３２における進行方向になるように向きを変える。そして、スライドレール部３３２ｃを用いて足場パネルＰを横行用レール部材３２側に引き込んでから、足場パネルＰを横行用搬送部３４に移動させる。これにより、橋脚Ｃを迂回させて足場パネルＰを搬送する際に、足場パネルＰの長さ方向の前端部と後端部の軌道が描く半径の差を最小にすることができるので、橋脚Ｃを迂回するためのスペースが小さい場所でも、足場パネルＰを搬送することが可能となる。
【００５４】
また、上記の変形例によれば、足場パネルＰを搬送する搬送部４５は、縦行用レール部材３１から、円弧軌道をなすカーブ用レール部材４３を経て、横行用レール部材４２へと移動可能となっている。これにより、橋脚Ｃを迂回して足場パネルＰを搬送する際に、縦行用レール部材４１から横行用レール部材４２へと足場パネルＰを移し替える工程が不要になり、作業の省力化を図りつつ、橋脚Ｃを超えた足場パネルＰの搬送を行うことができる。
【００５５】
また、上記の本実施形態によれば、横行用レール部材３２と交差する、一対の作業床用レール部材２１のそれぞれ始点側の一部の区間が、着脱式レール部材２１ａで構成されている。これにより、着脱式レール部材２１ａを回動させて作業床用レール部材２１の一部を開放することができるので、横行用レール部材３２に沿って足場パネルＰを搬送する横行用搬送部３４が、足場パネルＰを支持したまま作業床用レール部材２１との交差地点を通過することが可能となる。なお、本実施形態では、作業床用レール部材２１は横行用レール部材３２の下方に架設され、作業床用レール部材２１の横行用レール部材３２との交差部分が着脱式レール部材２１ａとなっているが、これに限られない。例えば、横行用レール部材３２を作業床用レール部材２１よりも下方に架設し、横行用レール部材３２の作業床用レール部材２１との交差部分を着脱式のレール部材で構成するようにしてもよい。
【００５６】
さらに、上記の本実施形態によれば、昇降装置２４ａは、作業床用レール部材２１の長さ方向に並列して設けられた複数のパンタグラフによって構成されている。これにより、パネル吊下部２４に吊下された足場パネルＰは、僅かな距離の昇降が可能となるので、足場パネルＰと構築物Ｓの下面とが近距離であったとしても、足場パネルＰを支持部２４から吊設部材１１へと移すことができる。したがって、仮設足場Ｆを構築物Ｓの下面に近い位置に吊設することが可能となる。
【符号の説明】
【００５７】
１      足場システム
１０    仮設足場吊設部
１１    吊設部材
１１ａ  クランプ
１２    連結部材
１２ａ  下側連結板
１２ｂ  上側連結板
２０    作業床移動装置
２１    作業床用レール部材
２１ａ  着脱式レール部材
２１ｂ  ヒンジ
２１ｃ  ボルト
２１ｄ  連結具
２２    作業床
２２ａ  ピニオン部
２２ｂ  揚重装置
２２１  ピニオン部
２２２  ラック部材
２３    駆動部
２４    支持部
２４ａ  昇降装置
２４ｂ  ピニオン部
２４ｃ  パネル吊下部
３０    足場パネル搬送装置
３１    縦行用レール部材
３２    横行用レール部材
３３    縦行用搬送部
３３１  ターンフレーム
３３１ａ  上部フレーム
３３１ｂ  旋回サークル
３３１ｃ  下部フレーム
３３２  スライドレール
３３２ｂ  スライドレール用ピニオン部
３３２ｃ  スライドレール部
３３２ｄ  固定部材
３３３  ピニオン部
３３４  搬送部駆動装置
３４    横行用搬送部
３４１  ピニオン部
３４２  揚重装置
３４３  吊り金具
４０    足場パネル搬送装置
４１    縦行用レール部材
４２    横行用レール部材
４３    カーブ用レール部材
４４    分岐手段
４４１  縦行用分岐レール部材
４４１ａ  ヒンジ
４４２  カーブ用分岐レール部材
４４２ａ  ヒンジ
４４３  分岐用ラック部材
４４４  分岐用ピニオン部
４５    搬送部
４５１  ピニオン部
４５２  揚重装置
４５３  吊り金具
４５４  搬送部駆動装置
Ｓ      構築物
Ｃ      橋脚
Ｆ      仮設足場
Ｐ      足場パネル
Ｐ１    外枠
Ｐ２    中骨
Ｐ３    表面板
Ｐ４    吊り金具
【図１】
2015137506.tif 000003
【図２】
2015137506.tif 000004
【図３】
2015137506.tif 000005
【図４】
2015137506.tif 000006
【図５】
2015137506.tif 000007
【図６】
2015137506.tif 000008
【図７】
2015137506.tif 000009
【図８】
2015137506.tif 000010